(57)【要約】【課題】内部の秘匿情報をのぞき見されてしまうことを防止でき、しかも、わかりやすい開封履歴を残すことができる情報隠蔽シート及びその製造方法を提供する。【解決手段】情報隠蔽ラベル付きハガキ１０は、個人情報部１１ａを有するハガキ本体１１と、個人情報部１１ａを隠蔽するように折り畳んだハガキ本体１１の全周縁部を強粘着する強粘着糊１３と、折り畳んだハガキ本体１１を一時的に貼り合わせておくための再剥離再貼付糊１４と、強粘着糊１３の内側に設けられ、この情報隠蔽ラベル付きハガキ１０を開封するマイクロミシン１５と、ハガキ本体１１の一部であって、マイクロミシン１５の線上に設けられたコーナーカット１６と、強粘着糊１３と再剥離再貼付糊１４とを使用時まで保護するセパレート紙１７と、セパレート紙１７の一部であって、強粘着糊１３と対向する部分に、オフセット印刷や活版印刷によって形成された剥離層１８などとを備える。【選択図】図１
2007301826.tif 000002
【特許請求の範囲】
【請求項１】
秘匿情報部を有するベースシートと、
前記秘匿情報部を隠蔽するように折り畳んだ前記ベースシートの略全周縁部を強粘着する強粘着部と、
前記強粘着部の内側に設けられ、この情報隠蔽シートを開封する開封予定線と、
前記強粘着部を使用時まで保護する保護シートと、
前記保護シートの一部であって、前記強粘着部と対向する部分に設けられた剥離層と、
を備える情報隠蔽シート。
【請求項２】
請求項１に記載の情報隠蔽シートにおいて、
前記ベースシートの一部であって、前記開封予定線の線上に設けられた開口部を備えること、
を特徴とする情報隠蔽シート。
【請求項３】
請求項１又は請求項２に記載の情報隠蔽シートにおいて、
前記秘匿情報部を隠蔽するように折り畳んだ前記ベースシートを一時的に貼り合わせておくための再剥離再貼付粘着層を備えること、
を特徴とする情報隠蔽シート。
【請求項４】
請求項１から請求項３までのいずれか１項に記載の情報隠蔽シートを製造する情報隠蔽シートの製造方法であって、
オフセット印刷及び／又は活版印刷によって、前記剥離層を形成すること、
を特徴とする情報隠蔽シートの製造方法。
【発明の詳細な説明】
【技術分野】
【０００１】
本発明は、個人情報などを保護するのに好適な情報隠蔽シート及びその製造方法に関するものである。
【背景技術】
【０００２】
近年の個人情報保護意識の高まりから、再剥離再貼付可能な隠蔽ラベル付きハガキが利用されているが（例えば、特許文献１）、容易に再剥離再貼付可能なものが多く、また、開封の履歴を把握することが困難なものが多かった。
そこで、隠蔽ラベルの長辺端側に強粘着部を設けることで、容易に開封できないようにし、マイクロミシンで開封したり、開封時に用紙が材破して開封の履歴が残る情報隠蔽ラベル付きハガキなども使用されている。
【０００３】
しかし、このような情報隠蔽ラベル付きハガキは、強粘着部に両面テープを用いることが多く、コストが高くなってしまう恐れがあった。
また、強粘着部を粘着剤の塗布によって形成するとしても、セパレート紙の剥離層は、オフセット印刷での絵柄印刷前後に、オフラインによるグラビア印刷方式などのコーティングを行なう場合が多く、剥離層のパターン状の加工は製造上困難であった。
このため、強粘着部は、ストライプ加工で製造可能な長辺端側のみとなっており、隠蔽ラベルとハガキ本体を膨らまして短辺側から内部をぞき見ることができてしまう可能性があった。
【特許文献１】特開２００４−１０２１８８号公報
【発明の開示】
【発明が解決しようとする課題】
【０００４】
本発明の課題は、内部の秘匿情報をのぞき見されてしまうことを防止でき、しかも、わかりやすい開封履歴を残すことができる情報隠蔽シート及びその製造方法を提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
請求項１の発明は、秘匿情報部（１１ａ）を有するベースシート（１１）と、前記秘匿情報部（１１ａ）を隠蔽するように折り畳んだ前記ベースシート（１１）の略全周縁部を強粘着する強粘着部（１３）と、前記強粘着部（１３）の内側に設けられ、この情報隠蔽シート（１０）を開封する開封予定線（１５）と、前記強粘着部（１３）を使用時まで保護する保護シート（１７）と、前記保護シート（１７）の一部であって、前記強粘着部（１３）と対向する部分に設けられた剥離層（１８）と、を備える情報隠蔽シート（１０）である。
請求項２の発明は、請求項１に記載の情報隠蔽シート（１０）において、前記ベースシート（１１）の一部であって、前記開封予定線（１５）の線上に設けられた開口部（１６）を備えること、を特徴とする情報隠蔽シート（１０）である。
請求項３の発明は、請求項１又は請求項２に記載の情報隠蔽シート（１０）において、前記秘匿情報部（１１ａ）を隠蔽するように折り畳んだ前記ベースシート（１１）を一時的に貼り合わせておくための再剥離再貼付粘着層（１４）を備えること、を特徴とする情報隠蔽シート（１０）である。
請求項４の発明は、請求項１から請求項３までのいずれか１項に記載の情報隠蔽シート（１０）を製造する情報隠蔽シートの製造方法であって、オフセット印刷及び／又は活版印刷によって、前記剥離層（１８）を形成すること、を特徴とする情報隠蔽シートの製造方法である。
【発明の効果】
【０００６】
本発明によれば、以下のような効果がある。
（１）折り畳んだベースシートの略全周縁部を強粘着しているので、内部の秘匿情報部をのぞき見されてしまうことがない。
（２）開封予定線で開封する必要があるので、開封すればその事実が明確となり、わかりやすい開封履歴を残すことができる。
（３）開封予定線の線上に開口部を備えるので、利用者にとっては開封しやすい情報隠蔽シートとすることができる。
（４）オフセット印刷及び／又は活版印刷によって、剥離層を形成するので、パターン状の加工が行いやすく、強粘着部に対応した剥離層を簡単に形成することができる。
【発明を実施するための最良の形態】
【０００７】
本発明は、内部の秘匿情報をのぞき見されてしまうことを防止できる情報隠蔽シート及びその製造方法を提供するという目的を、ハガキ本体の略全周縁部を強粘着する強粘着糊を設け、その強粘着糊に対向する剥離層をオフセット印刷や活版印刷によって形成することにより実現する。
【実施例】
【０００８】
以下、図面等を参照して、本発明の実施例について、さらに詳しく説明する。
図１は、本発明による情報隠蔽シートの実施例を示す図であって、図１（Ａ）は、分解した状態を示す平面図であり、図１（Ｂ）は、Ｂ−Ｂ断面を示す断面図である。
本実施例の情報隠蔽ラベル付きハガキ（情報隠蔽シート）１０は、ハガキ本体（ベースシート）１１と、隠蔽ラベル１２などとを備える。
【０００９】
ハガキ本体１１は、個人情報を記入するための個人情報部（秘匿情報部）１１ａを有する基材である。
隠蔽ラベル１２は、ハガキ本体１１の左半分に設けられ、個人情報部１１ａを隠蔽するためのラベルであり、強粘着糊（強粘着部）１３と、再剥離再貼付糊（再剥離再貼付粘着層）１４と、マイクロミシン（開封予定線）１５と、コーナーカット（開口部）１６と、セパレート紙（保護シート）１７と、剥離層１８とを備える。
【００１０】
強粘着糊１３は、ハガキ本体１１の左半分の周縁部に、逆コの字のパターン状に設けられ、個人情報部１１ａを隠蔽するように折り畳んだハガキ本体１１の全周縁部を強粘着する糊である。
再剥離再貼付糊１４は、折り畳んだハガキ本体１１を一時的に貼り合わせておくための糊である。
【００１１】
マイクロミシン１５は、強粘着糊１３の内側に、かつ、隠蔽ラベル１２端部の３方（上下左）に設けられ、この情報隠蔽ラベル付きハガキ１０を開封するミシン目である。
コーナーカット１６は、ハガキ本体１１の一部であって、マイクロミシン１５の線上に設けられた三角形の孔である。
【００１２】
セパレート紙１７は、強粘着糊１３と再剥離再貼付糊１４とを使用時まで保護するシートである。
剥離層１８は、セパレート紙１７の裏面の一部であって、強粘着糊１３と対向する部分に設けられた層である。
また、剥離層１８は、紫外線硬化型樹脂をオフセット印刷や活版印刷によって印刷することで形成している。このようにすることで、強粘着糊１３に対応したパターン状の剥離層１８を、簡単に形成することができる。
【００１３】
次に、情報隠蔽ラベル付きハガキ１０の使用方法を説明する。
まず、個人情報部１１ａに必要事項を記入する。
ついで、セパレート紙１７を剥がし、強粘着糊１３と再剥離再貼付糊１４とを表出させる。
さらに、個人情報部１１ａを隠蔽するように、ハガキ本体１１を２つ折りし、強粘着糊１３と再剥離再貼付糊１４とによって、情報隠蔽ラベル付きハガキ１０を封止する。
この状態で、ポストに投函したり、申込事業者に渡したりする。
最後に、受取人は、コーナーカット１６部分から、マイクロミシン１５を用いて開封し、個人情報部１１ａを確認する。
【００１４】
このように、本実施例によれば、情報隠蔽後は容易に開封できず、どの方向からものぞき見ることができない完全な隠蔽ラベルとなる情報隠蔽ラベル付きハガキ１０を提供することができる。
また、個人情報を見る場合には、コーナーカット１６からマイクロミシン１５を切って開封する必要があるので、マイクロミシン１５が割れている状態を開封履歴としても利用できる。
さらに、マイクロミシン１５の線上にコーナーカット１６が設けられているので、利用者にとっては開封しやすい情報隠蔽ラベル付きハガキ１０とすることができる。
さらにまた、再剥離再貼付糊１４によって簡単に開封することができるので、開封者の手間を軽減させることができる。
【００１５】
（変形例）
以上説明した実施例に限定されることなく、種々の変形や変更が可能であって、それらも本発明の均等の範囲内である。
（１）ハガキ本体１１の略全周縁部に強粘着糊１３を設けてもよい。
（２）再剥離再貼付糊１４を用いていない情報隠蔽シートであってもよい。
（３）マイクロミシン１５は、通常のミシン目であってもよい。
（４）コーナーカット１６を設けなくてもよい。
（５）情報隠蔽シートは、ハガキの例で説明したが、申込書などに用いてもよい。
【図面の簡単な説明】
【００１６】
【図１】本発明による情報隠蔽シートの実施例を示す図である。
【符号の説明】
【００１７】
１０  情報隠蔽ラベル付きハガキ（情報隠蔽シート）
１１  ハガキ本体（ベースシート）
１１ａ  個人情報部（秘匿情報部）
１２  隠蔽ラベル
１３  強粘着糊（強粘着部）
１４  再剥離再貼付糊（再剥離再貼付粘着層）
１５  マイクロミシン（開封予定線）
１６  コーナーカット（開口部）
１７  セパレート紙（保護シート）
１８  剥離層
【図１】
2007301826.tif 000003